(57)【要約】【課題】給水源から洗浄水が供給されている状態であっても、供給配管を容易に取り付け及び取り外しでき、かつ供給配管の取り付け及び取り外しの際の水漏れを抑制することができる衛生洗浄装置を提供すること。【解決手段】身体を洗浄するための洗浄水を吐水する吐水部と、前記吐水部に前記洗浄水を供給する供給配管と、を有する衛生洗浄本体部と、外部電源に接続され前記外部電源から電力が供給される給電部と、前記洗浄水の給水源と、前記供給配管と、の間に設けられるノーマルクローズ型の電磁弁を有する給水接続部と、を備え、前記電磁弁は、前記給電部を介して供給された前記電力に基づく制御電力により開き、前記給水源から前記給水接続部に前記洗浄水が供給されている状態において、前記給水接続部への前記供給配管の取り付け及び取り外しが可能とされたことを特徴とする衛生洗浄装置が提供される。【選択図】図１
2012067531.tif 000002
【特許請求の範囲】
【請求項１】
身体を洗浄するための洗浄水を吐水する吐水部と、前記吐水部に前記洗浄水を供給する供給配管と、を有する衛生洗浄本体部と、
外部電源に接続され前記外部電源から電力が供給される給電部と、
前記洗浄水の給水源と、前記供給配管と、の間に設けられるノーマルクローズ型の電磁弁を有する給水接続部と、
を備え、
前記電磁弁は、前記給電部を介して供給された前記電力に基づく制御電力により開き、
前記給水源から前記給水接続部に前記洗浄水が供給されている状態において、前記給水接続部への前記供給配管の取り付け及び取り外しが可能とされたことを特徴とする衛生洗浄装置。
【請求項２】
前記衛生洗浄本体部と前記給水接続部とのあいだには、前記電磁弁へ前記制御電力を供給する電力供給部が設けられ、
前記制御電力が前記電力供給部を通過して前記電磁弁を開かせることを特徴とする請求項１記載の衛生洗浄装置。
【請求項３】
前記供給配管に前記給水接続部を取り付ける際に、前記供給配管の前記給水接続部への接続が行われた後に、前記電力供給部を介して前記制御電力が前記電磁弁へ供給されることを特徴とする請求項２記載の衛生洗浄装置。
【請求項４】
前記供給配管を前記給水接続部から取り外す際に、前記供給配管が前記給水接続部から取り外される前に、前記電力供給部を介した前記電磁弁への前記制御電力の供給が停止されることを特徴とする請求項２または３に記載の衛生洗浄装置。
【請求項５】
前記電力供給部が配置された位置は、前記給水接続部の前記供給配管が接続される位置よりも上方であることを特徴とする請求項２〜４のいずれか１つに記載の衛生洗浄装置。
【発明の詳細な説明】
【技術分野】
【０００１】
本発明の態様は、一般的に、衛生洗浄装置に関し、具体的には便器に取り付けられ、洗浄水によって身体を洗浄する機能を備えた衛生洗浄装置に関する。
【背景技術】
【０００２】
衛生洗浄装置を便器に取り付ける時や便器から取り外す時には、給水配管の着脱とともに、電気配線の着脱も行われる。
多くの衛生洗浄装置では、給水配管や電気配線が便座の後方に配置されている。このため、作業者は入り込み難い狭い場所で脱着作業を行わなければならない。しかも、床面に近いところでの作業を強いられるため、作業性の点で改善の余地がある。
【０００３】
特許文献１では、衛生洗浄装置の着脱の作業性を向上させる観点から、便座取付面の上面または後方側立面に給水給電の接続部を設置し、給水管の取り外しが容易に行える構造の衛生洗浄装置が提案されている。この構造では、給水管の取り付けや取り外しと同時に止水弁が動作するため、給水管の取り付けや取り外しを容易に行うことができる。
【０００４】
しかしながら、特許文献１で開示された構造では、給水管の取り付け及び取り外しと同時に止水弁が作動するため、水圧がかかったままの状態で作業を行わなければならない。このため、給水接続部への給水管の取り付け、取り外しの際の操作力を大きくする必要がある。また、給水接続部への給水管の取り付け、取り外しの際に止水弁が閉じるタイミングによっては、多少の漏水が生ずることもあり得る。これを回避するためには、着脱作業前に給水源の元栓を閉じる必要があり、そのぶんだけ作業の手間が増えてしまう。
【先行技術文献】
【特許文献】
【０００５】
【特許文献１】特許第３５９１４８５号公報
【発明の概要】
【発明が解決しようとする課題】
【０００６】
本発明は、かかる課題の認識に基づいてなされたものであり、給水源から洗浄水が供給されている状態であっても、供給配管を容易に取り付け及び取り外しでき、かつ供給配管の取り付け及び取り外しの際の水漏れを抑制することができる衛生洗浄装置を提供することを目的とする。
【課題を解決するための手段】
【０００７】
第１の発明は、身体を洗浄するための洗浄水を吐水する吐水部と、前記吐水部に前記洗浄水を供給する供給配管と、を有する衛生洗浄本体部と、外部電源に接続され前記外部電源から電力が供給される給電部と、前記洗浄水の給水源と、前記供給配管と、の間に設けられるノーマルクローズ型の電磁弁を有する給水接続部と、を備え、前記電磁弁は、前記給電部を介して供給された前記電力に基づく制御電力により開き、前記給水源から前記給水接続部に前記洗浄水が供給されている状態において、前記給水接続部への前記供給配管の取り付け及び取り外しが可能とされたことを特徴とする衛生洗浄装置である。
【０００８】
この衛生洗浄装置によれば、衛生洗浄本体部の便座への取り付け及び便座からの取り外し作業を行う際、電磁弁への制御電力の供給を遮断し、電磁弁を閉の状態にするだけで、供給配管への洗浄水の供給を停止することができる。このため、供給配管に水圧がかからない状態となって、供給配管の取り付け及び取り外しを容易に行うことができるようになる。しかも、電磁弁によって確実に止水されるため、漏水の危険がない状態で作業を行うことができる。よって、作業者の施工性が大幅に向上する。
【０００９】
また、第２の発明は、第１の発明において、前記衛生洗浄本体部と前記給水接続部とのあいだには、前記電磁弁へ前記制御電力を供給する電力供給部が設けられ、前記制御電力が前記電力供給部を通過して前記電磁弁を開かせることを特徴とする衛生洗浄装置である。
【００１０】
この衛生洗浄装置によれば、衛生洗浄本体部への電力供給を遮断するだけで、電磁弁を確実に閉じることができる。このため、衛生洗浄本体部の取り外し作業において電源部からの電力供給が遮断されると、電磁弁が閉じて漏水の発生を抑制することができる。
【００１１】
また、第３の発明は、第２の発明において、前記供給配管に前記給水接続部を取り付ける際に、前記供給配管の前記給水接続部への接続が行われた後に、前記電力供給部を介して前記制御電力が前記電磁弁へ供給されることを特徴とする衛生洗浄装置である。
【００１２】
この衛生洗浄装置によれば、供給配管を給水接続部に接続する前に、電磁弁へ制御電力が供給されることはない。このため、電磁弁によって確実に止水された状態で、供給配管の接続作業を行うことができる。よって、衛生洗浄本体部の取り付けに伴う供給配管の取り付けを、水圧がかからない状態で、かつ漏水の危険がない状態で、行うことができる。したがって、作業者にとって、施工性が大幅に向上する。
【００１３】
また、第４の発明は、第２または第３の発明において、前記供給配管を前記給水接続部から取り外す際に、前記供給配管が前記給水接続部から取り外される前に、前記電力供給部を介した前記電磁弁への前記制御電力の供給が停止されることを特徴とする衛生洗浄装置である。
【００１４】
この衛生洗浄装置によれば、供給配管を給水接続部から取り外す前に、必ず電磁弁への制御電力の供給が停止され、止水状態となる。このため、衛生洗浄本体部の取り外しに伴う供給配管の取り外しを、水圧がかからない状態で、かつ漏水の危険がない状態で、行うことができる。したがって、作業者にとって、施工性が大幅に向上する。
【００１５】
また、第５の発明は、第２乃至第４のいずれかの発明において、前記電力供給部が配置された位置は、前記給水接続部の前記供給配管が接続される位置よりも上方であることを特徴とする衛生洗浄装置である。
【００１６】
この衛生洗浄装置によれば、供給配管を給水接続部から取り外す際、供給配管内にわずかにある洗浄水が下方へ垂れても、給水接続部の供給配管が接続される位置よりも上方にある電力供給部には垂れた洗浄水はかからない。よって、供給配管を取り外す際の電力供給部への被水を防止できる。
【発明の効果】
【００１７】
本発明の態様によれば、給水源から洗浄水が供給されている状態であっても、供給配管を容易に取り付け及び取り外しでき、かつ供給配管の取り付け及び取り外しの際の水漏れを抑制することができる衛生洗浄装置が提供される。
【図面の簡単な説明】
【００１８】
【図１】第１の実施形態に係る衛生洗浄装置を備えたトイレ装置を例示する模式的斜視図である。
【図２】衛生洗浄本体部の着脱の状態を例示する模式的斜視図である。
【図３】給水接続部の構造を説明する一部破断の模式的斜視図である。
【図４】第１の実施形態に係る衛生洗浄装置の要部構成を例示するブロック図である。
【図５】第１の実施形態に係る衛生洗浄装置の要部構成の他の具体例を例示するブロック図である。
【図６】衛生洗浄本体部を取り外す状態を例示する模式図である。
【図７】衛生洗浄本体部を取り付ける状態を例示する模式図である。
【図８】第２の実施形態に係る衛生洗浄装置の要部構成を例示するブロック図である。
【図９】第２の実施形態に係る衛生洗浄装置の要部構成の他の具体例を例示するブロック図である。
【図１０】衛生洗浄本体部を取り外す状態を例示する模式図である。
【図１１】衛生洗浄本体部を取り付ける状態を例示する模式図である。
【図１２】給水接続部の他の例を説明する模式的斜視図である。
【図１３】他のトイレ装置へ衛生洗浄装置を取り付けた状態を例示する模式的斜視図である。
【図１４】他のトイレ装置から衛生洗浄装置を取り外した状態を例示する模式的斜視図である。
【発明を実施するための形態】
【００１９】
以下、本発明の実施の形態について図面を参照しつつ説明する。なお、各図面中、同様の構成要素には同一の符号を付して詳細な説明は適宜省略する。
【００２０】
（第１の実施形態）
先ず、第１の実施形態に係る衛生洗浄装置の例を説明する。
図１は、第１の実施形態に係る衛生洗浄装置を備えたトイレ装置を例示する模式的斜視図である。
図１に表したトイレ装置は、洋式腰掛便器（便器８００）と、その上に設けられた衛生洗浄装置１１０と、を備える。衛生洗浄装置１１０は、衛生洗浄本体部１００と、給電部５００と、給水接続部６００と、を備える。
【００２１】
衛生洗浄本体部１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２２】
ここで、本実施形態では、衛生洗浄本体部１００の便座２００の着座面２００ａの側を上方向（上方）、これと反対側を下方向（下方）、衛生洗浄装置１１０の便座２００が軸支される側を後方向（後方）、これと反対側を前方向（前方）、上下方向及び前後方向と直交する方向のうち後方に向いて右側を右方向（右側方）、左側を左方向（左側方）、ということにする。
【００２３】
便座２００の内部には、必要に応じてヒータ（図示せず）が設けられており、便座２００を暖めることができるようになっている。ヒータには、例えば「シーズヒータ」や、「ハロゲンヒータ」や、「カーボンヒータ」が用いられる。
【００２４】
また、便座２００を加熱する手段として、便座２００または便蓋３００の内部に、高周波電流が通電されることにより磁界を発生する誘導加熱コイル（図示せず）が設けられていてもよい。この場合、便座２００には、誘導加熱コイルから発生した磁界により誘導加熱される導電体が設けられる。
【００２５】
ケーシング４００の内部には、衛生洗浄装置１１０としての機能部が併設されている。すなわち、ケーシング４００には、便座２００に座った使用者の「おしり」などに向けて洗浄水を噴出する吐水ノズル４１０を有する衛生洗浄機能部が内蔵されてる。なお、本願明細書において「洗浄水」という場合には、給水源から供給される通常の水、殺菌処理等を施した水も含まれるものとする。また、「水」には、冷水のみならず、加熱されたお湯も含まれるものとする。
【００２６】
また、ケーシング４００の内部には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。
【００２７】
衛生洗浄本体部１００には供給配管Ｐ１が設けられている。給水源から供給される洗浄水は、供給配管Ｐ１を介して衛生洗浄機能部に供給される。
【００２８】
給電部５００は、例えば、交流１００ボルトの外部電源に接続され、衛生洗浄本体部１００に電力を供給する。図１に表した具体例においては、給電部５００は、コンセントである。
【００２９】
給水接続部６００は、洗浄水の給水源と、衛生洗浄本体部１００に設けられた供給配管Ｐ１と、の間に設けられる。すなわち、給水接続部６００の上流側には給水源から洗浄水を供給する供給管（図示せず）が接続され、給水接続部６００の下流側には供給配管Ｐ１が接続される。
【００３０】
供給配管Ｐ１は、給水接続部６００に対して着脱自在に接続される。例えば、衛生洗浄本体部１００を便器８００から取り外す際、衛生洗浄本体部１００の取り外しによる移動とともに供給配管Ｐ１が給水接続部６００から取り外される。
一方、衛生洗浄本体部１００を便器８００に取り付ける際、衛生洗浄本体部１００の取り付けによる移動とともに供給配管Ｐ１が給水接続部６００に取り付けられる。
【００３１】
給水接続部６００には、ノーマルクローズ型の電磁弁６５０が設けられている。電磁弁６５０は、給電部５００を介して供給された電力に基づく制御電力が供給されている間、開状態になる。後に詳述するように、制御電力としては、給電部５００に供給される電力（例えば、交流１００ボルト）をそのまま用いてもよいし、図示しない電源回路により変換された電力（例えば、直流１２ボルト）を用いてもよい。  
電磁弁６５０は、制御電力が供給されない間、閉状態になる。すなわち、給水接続部６００に設けられた電磁弁６５０の動作によって、給水源から供給された洗浄水の供給配管Ｐ１への通水が制御される。本実施形態では、電磁弁６５０に制御電力が供給されている状態で供給配管Ｐ１への通水が行われ、制御電力が供給されていない状態で供給配管Ｐ１への通水が遮断される。
【００３２】
図２は、衛生洗浄本体部の着脱の状態を例示する模式的斜視図である。
図２（ａ）では、衛生洗浄本体部１００が便器８００に装着されている状態を示し、図２（ｂ）では、衛生洗浄本体部１００が便器８００から外された状態を示している。
図２（ｂ）に表したように、便器８００の上面８００ａの後方には、ベースプレート７００が固定されている。ベースプレート７００は、便器８００に例えばネジによって固定されている。衛生洗浄本体部１００は、ベースプレート７００を介して便器８００に固定される。
【００３３】
衛生洗浄本体部１００は、ベースプレート７００のガイド７０１に沿ってスライドし、装着位置で固定される。図２（ａ）に表した衛生洗浄本体部１００は、ベースプレート７００の装着位置で固定された状態になっている。
衛生洗浄本体部１００を便器８００から取り外すには、図示しない固定解除ボタンまたはレバーを操作すると、ベースプレート７００に対する衛生洗浄本体部１００の固定が解除され、衛生洗浄本体部１００をベースプレート７００のガイド７０１に沿ってスライドさせることができるようになる。これにより、図２（ｂ）に表したように、衛生洗浄本体部１００をスライドさせ、ベースプレート７００から取り外すことができる。
【００３４】
本実施形態に係る衛生洗浄本体部１００では、このような衛生洗浄本体部１００の便器８００に対する取り付け及び取り外しを行う際に、供給配管Ｐ１の給水接続部６００に対する取り付け及び取り外しも行われる。
【００３５】
給水接続部６００は、例えばベースプレート７００に取り付けられている。すなわち、給水接続部６００は便器８００に対して固定されており、衛生洗浄本体部１００を便器８００に取り付ける際には、衛生洗浄本体部１００に設けられた供給配管Ｐ１が給水接続部６００の接続孔６１０に挿入される。一方、衛生洗浄本体部１００を便器８００から取り外す際には、衛生洗浄本体部１００を便器８００から引き離すことによって供給配管Ｐ１が給水接続部６００の接続孔６１０から抜けるようになっている。
これにより、衛生洗浄本体部１００の取り付け及び取り外しと一緒に供給配管Ｐ１の取り付け及び取り外しも行うことができる。
【００３６】
本実施形態に係る衛生洗浄本体部１００では、給水接続部６００にノーマルクローズ型の電磁弁６５０が設けられており、給水源から洗浄水が供給されている状態であっても、給水接続部６００と供給配管Ｐ１との取り付け及び取り外しを行うことが可能になっている。
【００３７】
すなわち、本実施形態に係る衛生洗浄本体部１００は、供給配管Ｐ１を給水接続部６００に取り付ける際には、供給配管Ｐ１の給水接続部６００への取り付けが行われた後に電磁弁６５０へ制御電力が供給され、供給配管Ｐ１への通水が行われる構造となっている。したがって、供給配管Ｐ１への通水が行われていない状態で供給配管Ｐ１の給水接続部６００への取り付けを行うことができる。
【００３８】
一方、供給配管Ｐ１を給水接続部６００から取り外す際には、供給配管Ｐ１が給水接続部６００から取り外される前に電磁弁６５０への制御電力の供給が停止され、供給配管Ｐ１への通水が遮断される構造となっている。したがって、供給配管Ｐ１への通水が行われていない状態で供給配管Ｐ１を給水接続部６００から取り外すことができる。具体的な接続構造については、以下にて、説明する。
【００３９】
図３は、給水接続部の構造を説明する一部破断の模式的斜視図である。
図３に表したように、給水接続部６００には上流側の接続孔６２０と、下流側の接続孔６１０と、が設けられ、接続孔６２０と接続孔６１０との間にノーマルクローズ型の電磁弁６５０が設けられている。上流側の接続孔６２０には給水源側の給水管Ｐ２が接続されている。
【００４０】
下流側の接続孔６１０の孔の向きは、ベースプレート７００のガイド７０１に沿ってスライドする衛生洗浄本体部１００の移動方向Ｘに沿っている。
一方、衛生洗浄本体部１００に設けられた供給配管Ｐ１の延出方向も、移動方向Ｘに沿っている。
また、接続孔６１０と供給配管Ｐ１との配置関係は、衛生洗浄本体部１００がベースプレート７００のガイド７０１に沿ってスライドする際、供給配管Ｐ１の延出方向の軸と、接続孔６１０の孔の軸と、が合致する位置関係になっている。
【００４１】
したがって、衛生洗浄本体部１００をベースプレート７００に装着し、ガイド７０１に沿ってスライドさせるだけで、供給配管Ｐ１が接続孔６１０に挿入されることになる。接続孔６１０の内周面にはＯリング（図示せず）等のシール材が設けられており、供給配管Ｐ１の先端側の一部がシール材の位置を超えて挿入されると、十分な漏水防止機能を発揮できるようになっている。また、衛生洗浄本体部１００がベースプレート７００の固定位置まで装着されると、供給配管Ｐ１は接続孔６１０の奥までしっかりと挿入され、より確実な接続がなされる。
【００４２】
また、給水接続部６００及び衛生洗浄本体部１００のケーシング４００には、電力供給部１６０が設けられている。電力供給部１６０は、給水接続部６００の電磁弁６５０に制御電力を供給する部分である。
【００４３】
電力供給部１６０は、例えば電極端子１６０Ａ及び１６０Ｂを備えている。電極端子１６０Ａは給水接続部６００側に設けられる。電極端子１６０Ｂは衛生洗浄本体部１００のケーシング４００側に設けられる。電極端子１６０Ａは例えば凹型端子、電極端子１６０Ｂは例えば凸型端子になっている。これにより、衛生洗浄本体部１００をベースプレート７００に装着し、ガイド７０１に沿ってスライドさせるだけで、電極端子１６０Ａに電極端子１６０Ｂが挿入され、電気的な接続が完了する。一方、衛生洗浄本体部１００をベースプレート７００から取り外すと、電極端子１６０Ｂから電極端子１６０Ａが抜けて、電気的な接続も解除される。
【００４４】
このような給水接続部６００の構造によって、ベースプレート７００を介した衛生洗浄本体部１００の取り付け及び取り外しとともに、供給配管Ｐ１の取り付け及び取り外し、並びに電力供給部１６０の電気的な接続及び解除が行われることになる。
【００４５】
図４は、第１の実施形態に係る衛生洗浄装置の要部構成を例示するブロック図である。
なお、図４では、水路系を白矢印、電気系を黒矢印で示している。
衛生洗浄装置１１０の水路系においては、給水源２０から止水弁２１を介して給水接続部６００の電磁弁６５０に洗浄水が送られる。なお、止水弁２１は、衛生洗浄本体部１００の調圧弁１３０の上流側に設けられていてもよい。
【００４６】
給水接続部６００に設けられた電磁弁６５０には、止水弁２１の下流側に設けられた給水管Ｐ２が接続される。給水接続部６００の下流側の接続孔６１０には、衛生洗浄本体部１００の供給配管Ｐ１が接続される。
【００４７】
衛生洗浄本体部１００の水路系には、調圧弁１３０、熱交換ユニット１４０及び流量調整弁ユニット１５０が設けられている。調圧弁１３０の上流側には供給配管Ｐ１が接続され、給水源２０から給水接続部６００及び供給配管Ｐ１を介して送られた洗浄水が供給される。
【００４８】
調圧弁１３０の下流側に設けられた熱交換ユニット１４０では、流路を通過する洗浄水を所定の温度まで暖めて、流量調整弁ユニット１５０に送る。流量調整弁ユニット１５０は、下流に設けられた衛生洗浄機能部（吐水部）４０１に所定の流量の洗浄水を供給する。流量調整弁ユニット１５０は、衛生洗浄機能部４０１に設けられた身体洗浄用の吐水ノズル４１０及びノズル洗浄室４９０に洗浄水を供給する。
【００４９】
衛生洗浄装置１１０の電気系には、制御部１０００、操作部１５００、ノズルモータ４８０及び着座センサ４７０などが設けられている。また、電源回路５１０が設けられている。電源回路５１０は、給電部５００を介して供給された電力（例えば、交流１００ボルト）を適宜変換し（例えば、直流１２ボルト）て、電気系に供給する。なお、電源回路５１０は、例えば、直流１２ボルトと直流５ボルトのように、複数種類の電圧の電力を電気系に供給してもよいし、給電部５００を介して供給された電力をそのまま供給してもよい。例えば、制御部１０００には直流５ボルトを供給し、熱交換ユニット１４０には、交流１００ボルトを供給してもよい。
【００５０】
電源回路５１０は、外部電源３０から送られた電力ＰＷに基づき、制御部１０００に電力ＰＷ１を送る。また、電源回路５１０は、電磁弁６５０に制御電力ＰＷ２を送る。
制御部１０００は、熱交換ユニット１４０、流量調整弁ユニット１５０及びノズルモータ４８０を制御する。制御部１０００には、着座センサ４７０等の各種センサからの信号が送られる。また、制御部１０００には、操作部１５００から操作のための信号が送られる。
【００５１】
利用者は、操作部１５００のボタン等を操作して、洗浄動作、水温調整、水圧調整等の所望の動作及び設定を制御部１０００に指示する。制御部１０００は、各種センサ及び操作部１５００から送られる信号に基づき、各部に制御信号を送り、利用者の所望の動作を実行する。なお、操作部１５００には、便座２００に取り付けられるもののほか、リモートコントローラも含まれる。リモートコントローラの場合、操作部１５００は衛生洗浄本体部１００には含まれない。
【００５２】
電源回路５１０から出力される制御電力ＰＷ２は、衛生洗浄本体部１００と給水接続部６００との間に設けられた電力供給部１６０に送られる。制御電力ＰＷ２は、衛生洗浄本体部１００から電力供給部１６０を通過して電磁弁６５０に供給される。制御電力ＰＷ２が供給されている間、電磁弁６５０は開状態になる。電磁弁６５０が開状態になると、給水源２０から給水管Ｐ２を介して供給された洗浄水は、電磁弁６５０を通過して、供給配管Ｐ１から衛生洗浄本体部１００へ供給される。
【００５３】
一方、電力供給部１６０の電極端子１６０Ａ及び１６０Ｂ（図３参照）の接触が解除されると、電磁弁６５０には制御電力ＰＷ２が供給されなくなる。これにより、電磁弁６５０は閉状態になる。電磁弁６５０が閉状態になると、給水源２０から給水管Ｐ２を介して供給された洗浄水は、電磁弁６５０で遮断され、供給配管Ｐ１には供給されなくなる。
図５は、第１の実施形態に係る衛生洗浄装置の要部構成の他の具体例を例示するブロック図である。  
本具体例においては、電源回路５１０は、衛生洗浄本体部１００とは別体として設けられている。そして、電源回路５１０と衛生洗浄本体部１００とを接続する電源線を介して、電力ＰＷ１と制御電力ＰＷ２とがそれぞれ供給される。なお、図５では便宜上、２種類の電源線のみを表したが、これら以外にも、例えば交流１００ボルトや、他の電圧の直流電力などを供給する電源線を設けてもよい。
【００５４】
次に、衛生洗浄本体部１００の取り付け及び取り外しにともなう供給配管Ｐ１及び電力供給部１６０の接続及び解除の動作について説明する。
図６は、衛生洗浄本体部を取り外す状態を例示する模式図である。
図７は、衛生洗浄本体部を取り付ける状態を例示する模式図である。
【００５５】
先ず、衛生洗浄本体部１００を取り外す際の動作を説明する。
図６（ａ）に表したように、衛生洗浄本体部１００を便器８００に取り付けた状態では、まず最初に、給水接続部６００の接続孔６１０に衛生洗浄本体部１００の供給配管Ｐ１が挿入されている。また、電力供給部１６０の電極端子１６０Ａ及び１６０Ｂは接触しており、電磁弁６５０に制御電力ＰＷ２が供給される。これにより、電磁弁６５０は開状態になって、給水源２０から給水管Ｐ２を介して給水接続部６００に送られた洗浄水は、電磁弁６５０を通過して、供給配管Ｐ１から衛生洗浄本体部１００に送られる。
【００５６】
図６（ｂ）に表したように、衛生洗浄本体部１００を給水接続部６００から引き離すと、電力供給部１６０の電極端子１６０Ａと１６０Ｂとの接触が解除される。これにより、電磁弁６５０に供給されていた制御電力ＰＷ２が遮断され、電磁弁６５０は閉状態になる。
【００５７】
ここで、電極端子１６０Ａと１６０Ｂとの接触が解除された段階では、供給配管Ｐ１は接続孔６１０内のシール材６１０ａの位置よりも奥に挿入されている。すなわち、供給配管Ｐ１が接続孔６１０から抜けるよりも前に、電磁弁６５０への制御電力ＰＷ２の供給が遮断され、電磁弁６５０を閉状態にすることができる。
電磁弁６５０が閉状態になることで、給水源２０から送られた洗浄水は、電磁弁６５０で遮断され、供給配管Ｐ１へは通水されない。
【００５８】
続いて、衛生洗浄本体部１００をさらに給水接続部６００から引き離すと、図６（ｃ）に表したように、供給配管Ｐ１が給水接続部６００の接続孔６１０から引き抜かれる状態になる。この状態では、既に供給配管Ｐ１に水圧はかかっておらず、容易に引き抜くことが可能となる。
【００５９】
このように、衛生洗浄本体部１００の取り外しでは、給水源２０から給水接続部６００に洗浄水が供給されたままの状態（例えば、止水弁２１によって給水を止めない状態）であっても、供給配管Ｐ１を接続孔６１０から簡単に引き抜くことができる。したがって、衛生洗浄本体部１００の取り外し作業を非常に簡単に行うことが可能となる。
【００６０】
次に、衛生洗浄本体部１００を取り付ける際の動作を説明する。
図７（ａ）に表したように、衛生洗浄本体部１００と給水接続部６００とが完全に離れている状態では、電磁弁６５０に制御電力ＰＷ２が供給されず、電磁弁６５０は閉状態になっている。これにより、給水源２０から給水接続部６００に洗浄水が送られてきても、電磁弁６５０で遮断される。
【００６１】
次に、図７（ｂ）に表したように、衛生洗浄本体部１００を給水接続部６００に近づけて、供給配管Ｐ１を給水接続部６００の接続孔６１０に挿入する。ここで、供給配管Ｐ１が接続孔６１０内のシール材６１０ａの位置よりもわずかに奥まで挿入された状態では、電力供給部１６０の電極端子１６０Ａと電極端子１６０Ｂとは接触しない。このため、電磁弁６５０には制御電力ＰＷ２は供給されず、閉状態のままである。
【００６２】
さらに衛生洗浄本体部１００を給水接続部６００に近づけることで、始めて、図７（ｃ）に表したように、電力供給部１６０の電極端子１６０Ａと電極端子１６０Ｂとが接触する状態となる。これにより、制御電力ＰＷ２は電力供給部１６０を通過して電磁弁６５０に供給される。電磁弁６５０は制御電力ＰＷ２の供給によって開状態になる。ここで、電磁弁６５０が開状態になるのは、供給配管Ｐ１が接続孔６１０に挿入された後、すなわち、供給配管Ｐ１が接続孔６１０内のシール材６１０ａの位置よりも奥に挿入された後である。したがって、電磁弁６５０が開状態になって、洗浄水の通水が開始された段階では、既に供給配管Ｐ１と接続孔６１０との間の密閉性が確保されており、漏水の心配はない。
【００６３】
このように、衛生洗浄本体部１００の取り付けでは、給水源２０から給水接続部６００に洗浄水が供給されたままの状態（例えば、止水弁２１によって給水を止めない状態）であっても、供給配管Ｐ１を接続孔６１０に挿入する際には水圧がかかっていないため、簡単に挿入することができる。したがって、衛生洗浄本体部１００の取り付け作業を非常に簡単に行うことが可能となる。
【００６４】
なお、電極端子１６０Ａと電極端子１６０Ｂとの接触及び非接触が切り替わる際において、供給配管Ｐ１は接続孔６１０になるべく深く挿入されていることが望ましい。例えば、衛生洗浄本体部１００をベースプレート７００に装着し、後方にスライドさせて固定位置に至るわずかに手前の状態で電極端子１６０Ａと電極端子１６０Ｂとの接触が行われるようにするとよい。これにより、供給配管Ｐ１が接続孔６１０にしっかりと挿入されている状態で、電磁弁６５０の開閉の切り替わりが行われることになり、供給配管Ｐ１の取り付け及び取り外しの際の漏水を効果的に抑制できることになる。
【００６５】
本実施形態では、衛生洗浄本体部１００を便器８００に取り付け及び取り外しする際の動作だけで、供給配管Ｐ１への通水及び遮断を簡単に行うことができる。したがって、作業者によって施工性が大幅に向上することになる。
【００６６】
（第２の実施形態）
次に、第２の実施形態に係る衛生洗浄装置の例を説明する。
図８は、第２の実施形態に係る衛生洗浄装置の要部構成を例示するブロック図である。
図８では、水路系を白矢印、電気系を黒矢印で示している。
第２の実施形態に係る衛生洗浄装置１１０Ａは、第１の実施形態に係る衛生洗浄装置１１０と、水路系は同じであるが、電気系が相違する。
【００６７】
すなわち、図８に表したように、衛生洗浄装置１１０Ａでは、給電部５００から給水接続部６００へ電力ＰＷが直接供給される。電磁弁６５０へ送られる制御電力ＰＷ２は、外部電源３０の電力ＰＷと同じである。外部電源３０から送られる電力は、給水接続部６００内で分岐しており、電力供給部１６１を通過して衛生洗浄本体部１００に設けられた電源回路５１０へ送られる。
【００６８】
給電部５００から送られる制御電力ＰＷ２は、スイッチＳＷ１によって断続される。すなわち、スイッチＳＷ１が閉状態になると、給電部５００から送られた制御電力ＰＷ２は電磁弁６５０に供給される。一方、スイッチＳＷ１が開状態になると、制御電力ＰＷ２は電磁弁６５０には供給されない。
【００６９】
スイッチＳＷ１は、例えば給水接続部６００に取り付けられている。スイッチＳＷ１は、衛生洗浄本体部１００が給水接続部６００に近づくと閉状態になる。また、スイッチＳＷ１は、衛生洗浄本体部１００が給水接続部６００から離れると開状態になる。
図９は、第２の実施形態に係る衛生洗浄装置の要部構成の他の具体例を例示するブロック図である。
本具体例においては、電源回路５１０が、衛生洗浄本体部１００とは別体として設けられている。そして、電源回路５１０を介して制御電力ＰＷ２が電磁弁６５０に供給され、電力ＰＷ１が電力供給部１６１を通過して衛生洗浄本体部１００に設けられた制御部１０００に供給される。
なお、図９に表した具体例においては、電源回路５１０は、給水接続部６００とも別体とされているが、本発明はこれに限定されない。すなわち、電源回路５１０が、給水接続部６００に設けられていてもよい。
【００７０】
次に、衛生洗浄本体部１００の取り付け及び取り外しにともなう供給配管Ｐ１及び電力供給部１６１の接続及び解除の動作について説明する。
図１０は、衛生洗浄本体部を取り外す状態を例示する模式図である。
図１１は、衛生洗浄本体部を取り付ける状態を例示する模式図である。
【００７１】
先ず、衛生洗浄本体部１００を取り外す際の動作を説明する。
図１０（ａ）に表したように、衛生洗浄本体部１００を便器８００に取り付けた状態では、給水接続部６００の接続孔６１０に衛生洗浄本体部１００の供給配管Ｐ１が挿入されている。また、衛生洗浄本体部１００の突起１０１によりスイッチＳＷ１が押され、閉状態になっている。これにより、給電部５００または電源回路５１０から制御電力ＰＷ２が電磁弁６５０に供給され、電磁弁６５０は開状態になる。よって、給水源２０から給水管Ｐ２を介して給水接続部６００に送られた洗浄水は、電磁弁６５０を通過して、供給配管Ｐ１から衛生洗浄本体部１００に送られる。
【００７２】
また、衛生洗浄本体部１００を便器８００に取り付けた状態では、電力供給部１６１の電極端子１６１Ａ及び１６１Ｂは接触しており、給電部５００から供給された電力ＰＷまたは電源回路５１０から供給された電力ＰＷ１が、電力供給部１６１を通過して衛生洗浄本体部１００へ送られる。
【００７３】
図１０（ｂ）に表したように、衛生洗浄本体部１００を給水接続部６００から引き離すと、スイッチＳＷ１を押していた衛生洗浄本体部１００の突起１０１が離れ、スイッチＳＷ１は閉状態になる。これにより、電磁弁６５０に供給されていた制御電力ＰＷ２が遮断され、電磁弁６５０は閉状態になる。
【００７４】
この際、電力供給部１６１の電極端子１６１Ａと１６１Ｂとは未だ接触状態にある。また、この段階では、供給配管Ｐ１は接続孔６１０内のシール材６１０ａの位置よりも奥に挿入されている。すなわち、供給配管Ｐ１が接続孔６１０から抜けるよりも前に、電磁弁６５０への制御電力ＰＷ２の供給が、確実に遮断され、電磁弁６５０を閉状態にすることができる。
電磁弁６５０が閉状態になることで、給水源２０から送られた洗浄水は、電磁弁６５０で遮断され、供給配管Ｐ１へは通水されない。
【００７５】
続いて、衛生洗浄本体部１００をさらに給水接続部６００から引き離すと、図１０（ｃ）に表したように、供給配管Ｐ１が給水接続部６００の接続孔６１０から引き抜かれる状態になる。この状態では、既に供給配管Ｐ１に水圧はかかっておらず、容易に引き抜くことが可能となる。また、電力供給部１６１の電極端子１６１Ａと電極端子１６１Ｂとの接触が解除さる。これにより、衛生洗浄本体部１００に供給されていた電力ＰＷまたはＰＷ１が、確実に遮断される。
【００７６】
このように、衛生洗浄本体部１００の取り外しでは、給水源２０から給水接続部６００に洗浄水が供給されたままの状態（例えば、止水弁２１によって給水を止めない状態）であっても、供給配管Ｐ１を接続孔６１０から簡単に引き抜くことができる。したがって、衛生洗浄本体部１００の取り外し作業を非常に簡単に行うことが可能となる。
また、衛生洗浄本体部１００の取り外しによって、外部電源３０や給電部５００と衛生洗浄本体部１００との電気配線も分離される。これにより、水路系及び電気系の両方を分離して、衛生洗浄本体部１００だけを自由な状態で便器８００から取り外すことが可能になる。
【００７７】
次に、衛生洗浄本体部１００を取り付ける際の動作を説明する。
図１１（ａ）に表したように、衛生洗浄本体部１００と給水接続部６００とが完全に離れている状態では、スイッチＳＷ１は開状態になっている。このため、電磁弁６５０に制御電力ＰＷ２が供給されず、電磁弁６５０は閉状態になる。したがって、給水源２０から給水接続部６００に洗浄水が送られてきても、電磁弁６５０で遮断される。
【００７８】
次に、図１１（ｂ）に表したように、衛生洗浄本体部１００を給水接続部６００に近づけて、供給配管Ｐ１を給水接続部６００の接続孔６１０に挿入する。ここで、供給配管Ｐ１が接続孔６１０内のシール材６１０ａの位置よりもわずかに奥まで挿入された状態では、スイッチＳＷ１は突起１０１によって押されず、開状態のままである。このため、電磁弁６５０には制御電力ＰＷ２は供給されず、閉状態のままである。
【００７９】
一方、電力供給部１６１の電極端子１６１Ａと電極端子１６１Ｂとは接触する。これにより、給電部５００から供給された電力ＰＷまたは電源回路５１０から供給された電力ＰＷ１は、電力供給部１６１を通過して衛生洗浄本体部１００に送られる。
【００８０】
さらに衛生洗浄本体部１００を給水接続部６００に近づけることで始めて、図１１（ｃ）に表したように、衛生洗浄本体部１００の突起１０１がスイッチＳＷ１を押して、すなわちスイッチＳＷ１が閉状態になる。これにより、給電部５００または電源回路５１０から制御電力ＰＷ２が電磁弁６５０に供給される。電磁弁６５０は制御電力ＰＷ２の供給によって開状態になる。ここで、電磁弁６５０が開状態になるのは、供給配管Ｐ１が接続孔６１０に挿入された後、すなわち、供給配管Ｐ１が接続孔６１０内のシール材６１０ａの位置よりも奥に挿入された後である。したがって、電磁弁６５０が開状態になって、洗浄水５０の通水が開始された段階では、既に供給配管Ｐ１と接続孔６１０との間の密閉性が確保されており、漏水の心配はない。
【００８１】
このように、衛生洗浄本体部１００の取り付けでは、給水源２０から給水接続部６００に洗浄水が供給されたままの状態（例えば、止水弁２１によって給水を止めない状態）であっても、供給配管Ｐ１を接続孔６１０に挿入する際には水圧がかかっていないため、簡単に挿入することができる。したがって、衛生洗浄本体部１００の取り付け作業を非常に簡単に行うことが可能となる。
【００８２】
本実施形態では、衛生洗浄本体部１００を便器８００に取り付け及び取り外しする際の動作だけで、供給配管Ｐ１への通水及び遮断を簡単に行うことができる。また、衛生洗浄本体部１００を便器８００から取り外した際、水路系のほか、電気系の配線も分離されるため、電気配線を引きずることなく衛生洗浄本体部１００を単独で取り外すことができるしたがって、作業者によって施工性が大幅に向上することになる。
【００８３】
なお、上記説明した衛生洗浄装置１１０Ａにおいて、スイッチＳＷ１は、必ずしも給水接続部６００に取り付けられていなくてもよい。すなわち、上記のような供給配管Ｐ１の接続孔６１０への取り付け及び取り外しのタイミングに合わせた電磁弁６５０の開閉切り替えを行うことができれば、どのような位置に配置されていてもよい。
【００８４】
図１２は、給水接続部の他の例を説明する模式的斜視図である。
図１２（ａ）に表した給水接続部６００Ａでは、電力供給部１６０及び１６１の位置が、接続孔６１０の位置よりも上方に配置されている。
【００８５】
給水接続部６００Ａの接続孔６１０に対して供給配管Ｐ１を取り外しする際には、供給配管Ｐ１内にわずかに残っている洗浄水が下方へ垂れる可能性がある。給水接続部６００Ａでは、電力供給部１６０及び１６１が接続孔６１０の位置よりも上方にあるため、接続孔６１０の付近から洗浄水が垂れても、電力供給部１６０及び１６１にかかることを防止できる。これにより、供給配管Ｐ１を取り外す際の電力供給部への被水を防止できる。
【００８６】
図１２（ｂ）に表した給水接続部６００Ｂでは、接続孔６１０と電力供給部１６０及び１６１との間に溝６３０が設けられている。この溝６３０があることで、給水接続部６００Ｂの外装に付着した水分が溝６３０内に入り込み、電力供給部１６０及び１６１への被水を抑制することができる。
なお、給水接続部６００Ｂにおいては、溝６３０の代わりに凸部（壁）を設けてもよい。この凸部によって、給水接続部６００Ｂの外装に付着した水分が、接続孔６１０の側から電力供給部１６０及び１６１の側へ伝わることを防ぐことができる。
【００８７】
図１３及び図１４は、衛生洗浄装置の他のトイレ装置への適用例を例示する模式的斜視図である。
図１３では、実施形態に係る衛生洗浄装置１１０及び１１０Ａを便器８００に取り付けた状態を示している。
図１４では、実施形態に係る衛生洗浄装置１１０及び１１０Ａを便器８００から取り外した状態を示している。
【００８８】
図１３に表したように、このトイレ装置では、便器８００の斜め上方、後方にロータンク１０が配置されている。ロータンク１０の側面１０ｂと、便器８００の側面８００ｂと、の間にはカバー１１が設けられている。このカバー１１の内側に、給水管Ｐ２が収納されている。給水管Ｐ２は、カバー１１の内側において、給水接続部６００の上流側に接続されている。
衛生洗浄装置１１０及び１１０Ａが便器８００に取り付けられている状態では、供給配管Ｐ１は給水接続部６００の下流側の接続孔６１０に接続されている。
【００８９】
図１４に表したように、衛生洗浄装置１１０及び１１０Ａを便器８００から取り外すと、給水接続部６００の接続孔６１０から供給配管Ｐ１が取り外される。衛生洗浄装置１１０及び１１０Ａの取り外しの際には、供給配管Ｐ１が接続孔６１０から取り外される前に、電磁弁６５０への制御電力ＰＷ２の供給が停止され、電磁弁６５０が閉状態になっている。したがって、供給配管Ｐ１に水圧がかからない状態で、簡単に供給配管Ｐ１を接続孔６１０から取り外すことができる。
【００９０】
衛生洗浄装置１１０及び１１０Ａは、供給配管Ｐ１によって給水接続部６００と接続されているため、衛生洗浄装置１１０及び１１０Ａを取り外した際には、便座２００側にホース類が残らない。また、図１３及び図１４に表したトイレ装置では、給水管Ｐ２がカバー１１の内側に収納されているため、衛生洗浄装置１１０及び１１０Ａを取り外した状態で、ホース類が外に露出しない。つまり、実施形態に係る衛生洗浄装置１１０及び１１０Ａをこのトイレ装置に適用すると、衛生洗浄装置１１０及び１１０Ａを取り外した際の見栄えがよく、清掃性も非常に優れたものとなる。
【００９１】
以上説明したように、実施形態に係る衛生洗浄装置１１０及び１１０Ａによれば、給水源２０から洗浄水が供給されている状態であっても、供給配管Ｐ１を容易に取り付け及び取り外しでき、かつ供給配管Ｐ１の取り付け及び取り外しの際の水漏れを抑制することができるようになる。
【００９２】
なお、上記説明した実施形態において、衛生洗浄本体部１００が便器８００の前後方向にスライドして取り付け及び取り外しできる構造を説明したが、本発明はこれに限定されない。例えば、衛生洗浄本体部１００を、便器８００に対して上下方向に沿って取り付け及び取り外しできる構造、便器８００に対して左右方向に沿って取り付け及び取り外しできる構造、及び便器８００に対して斜め上下方向に沿って取り付け及び取り外しできる構造、でも適用可能である。
【００９３】
また、給水接続部６００と供給配管Ｐ１との接続では、給水接続部６００の接続孔６１０に供給配管Ｐ１を挿入する例を示したが、接続孔６１０の代わりに接続管を設け、この接続管を供給配管Ｐ１に挿入するようにしてもよい。
【００９４】
また、実施形態では、衛生洗浄本体部１００の便器８００に対する取り付け及び取り外しの動作に連動して、供給配管Ｐ１の取り付け及び取り外しを行う例を説明したが、本発明発明はこれに限定されない。例えば、衛生洗浄本体部１００の取り付け及び取り外しの動作とは別個に、レバー等の操作により供給配管Ｐ１及び電力供給部１６０の取り付け及び取り外しが行われるようになっていてもよい。
【００９５】
また、実施形態では、ベースプレート７００に衛生洗浄本体部１００が装着して衛生洗浄装置１１０及び１１０Ａを便器８００に固定する例を説明したが、ベースプレート７００を介さずに固定してもよい。この場合、給水接続部６００、６００Ａ及び６００Ｂは直接または何らかの支持部材によって便器８００に固定されることになる。
【００９６】
また、上記実施形態では、衛生洗浄装置１１０及び１１０Ａに便蓋３００が設けられた例を説明したが、便蓋３００が設けられていないものであっても適用可能である。
【００９７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。
また、前述した各実施形態が備える各要素は、技術的に可能な限りにおいて組み合わせることができ、これらを組み合わせたものも本発明の特徴を含む限り本発明の範囲に包含される。
【符号の説明】
【００９８】
２０…給水源、２１…止水弁、３０…外部電源、１００…衛生洗浄本体部、１１０，１１０Ａ…衛生洗浄装置、１６０，１６１…電力供給部、１６０Ａ，１６０Ｂ，１６１Ａ，１６１Ｂ…電極端子、２００…便座、２００ａ…着座面、３００…便蓋、４００…ケーシング、５００…給電部、５１０…電源回路、６００，６００Ａ，６００Ｂ…給水接続部、６１０，６２０…接続孔、６１０ａ…シール材、６５０…電磁弁、７００…ベースプレート、７０１…ガイド、８００…便器、８００…洋式腰掛便器、Ｐ１…供給配管、Ｐ２…給水管、ＰＷ…電力、ＰＷ１…電力、ＰＷ２…制御電力、ＳＷ１…スイッチ
【図１】
2012067531.tif 000003
【図２】
2012067531.tif 000004
【図３】
2012067531.tif 000005
【図４】
2012067531.tif 000006
【図５】
2012067531.tif 000007
【図６】
2012067531.tif 000008
【図７】
2012067531.tif 000009
【図８】
2012067531.tif 000010
【図９】
2012067531.tif 000011
【図１０】
2012067531.tif 000012
【図１１】
2012067531.tif 000013
【図１２】
2012067531.tif 000014
【図１３】
2012067531.tif 000015
【図１４】
2012067531.tif 000016